(57)【要約】      （修正有）【課題】複数の放射線検出装置を並べて、長尺撮影を行う際、複数の放射線検出装置における撮影有効領域の重なりを任意に設定する放射線撮影システム及び撮影台を提供する。【解決手段】放射線を検出する複数の放射線検出装置Ｄ１、Ｄ２及びＤ３を収納する撮影台Ｓであって、放射線検出装置Ｄ１、Ｄ２及びＤ３を支持する支持部６０ａ、６０ｂ及び６０ｃと、撮影台Ｓの長手方向に沿って支持部６０ａ、６０ｂ及び６０ｃを放射線検出装置Ｄ１、Ｄ２及びＤ３とともに移動させる移動部とを備える。【選択図】図２
2016189985.tif 000002
【特許請求の範囲】
【請求項１】
放射線を検出する複数の放射線検出装置を収納する撮影台であって、前記放射線検出装置を支持する支持部と、前記撮影台の長手方向に沿って前記支持部を前記放射線検出装置とともに移動させる移動部とを備えることを特徴とする撮影台。
【請求項２】
前記複数の放射線検出装置を支持する複数の支持部を備え、前記移動部は、前記複数の支持部をそれぞれ独立して移動させることを特徴とする請求項１に記載の撮影台。
【請求項３】
前記複数の支持部は、それぞれ複数の放射線検出装置の同じ側面を支持することを特徴とする請求項２に記載の撮影台。
【請求項４】
前記移動部によって前記複数の支持部を前記撮影台の長手方向に任意に移動させても、前記複数の支持部が互いに干渉しないことを特徴とする請求項２に記載の撮影台。
【請求項５】
前記放射線検出装置を保持する複数の保持部材を備え、前記保持部材は、前記放射線検出装置の周囲を囲うように保持することを特徴とする請求項１に記載の撮影台。
【請求項６】
前記複数の保持部材には、前記放射線検出装置の撮影有効領域にかからない位置に係止部が設置されることを特徴とする請求項５に記載の撮影台。
【請求項７】
前記複数の保持部材に対して前記放射線検出装置を挟む方向に力を掛ける弾性部材を備えることを特徴とする請求項５に記載の撮影台。
【請求項８】
前記放射線検出装置における前記撮影台の長手方向の位置を検知するセンサを備えることを特徴とする請求項１に記載の撮影台。
【請求項９】
前記移動部は、前記放射線検出装置を水平方向に移動させることを特徴とする請求項１に記載の撮影台。
【請求項１０】
前記複数の放射線検出装置における第一の放射線検出装置と第二の放射線検出装置は、一部が空間的に互いに重なるように配置されることを特徴とする請求項１に記載の撮影台。
【請求項１１】
前記複数の放射線検出装置の位置を表示する状態表示部を備えることを特徴とする請求項１に記載の撮影台。
【請求項１２】
前記状態表示部は、被検者の関心領域を前記複数の放射線検出装置の位置とともに表示することを特徴とする請求項１１に記載の撮影台。
【請求項１３】
前記状態表示部は、前記複数の放射線検出装置のつなぎ目を表示することを特徴とする請求項１１に記載の撮影台。
【請求項１４】
放射線を検出する複数の放射線検出装置を収納する撮影台を備えた放射線撮影システムであって、前記撮影台は、前記放射線検出装置を支持する支持部と、前記撮影台の長手方向に沿って前記支持部を前記放射線検出装置とともに移動させる移動部とを備えることを特徴とする放射線撮影システム。
【発明の詳細な説明】
【技術分野】
【０００１】
本発明は、放射線を用いて被検体を撮影する放射線撮影システム及び撮影台に関するものである。
【背景技術】
【０００２】
近年、例えば医療分野では被検者の脊髄や下肢の全体や全身を撮影するといった、観察領域が広い撮影（以下、長尺撮影と称する）が行われている。特許文献１には、複数の放射線検出装置（放射線撮影装置）を並べて撮影することで、長尺撮影を行うことができる放射線撮影システムが開示されている。
【先行技術文献】
【特許文献】
【０００３】
【特許文献１】特開２０１２−０４０１４０号公報
【発明の概要】
【発明が解決しようとする課題】
【０００４】
特許文献１において、放射線検出装置の一部を重ねながら複数の放射線検出装置を並べて撮影する際、一方の放射線検出装置に他方の放射線検出装置の一部が写り込んでしまう。よって、関心領域に放射線検出装置の連結部が重なり、欠陥領域を含んだ放射線画像が取得されてしまう。そのため、複数の放射線画像が合成された合成画像（長尺画像）には、欠陥領域が含まれている。しかしながら、特許文献１には、この映り込みに対する対策については言及されていない。
【０００５】
本発明は、上記の課題に鑑みてなされたものであり、複数の放射線検出装置を並べて、長尺撮影を行う際、複数の放射線検出装置における撮影有効領域の重なりを任意に設定することができる放射線撮影システム及び撮影台を提供することを目的とする。
【課題を解決するための手段】
【０００６】
本発明の目的を達成するために、放射線を検出する複数の放射線検出装置を収納する撮影台であって、前記放射線検出装置を支持する支持部と、前記撮影台の長手方向に沿って前記支持部を前記放射線検出装置とともに移動させる移動部とを備える。放射線撮影システムは、前記撮影台を備える。
【発明の効果】
【０００７】
本発明によれば、複数の放射線検出装置を並べて、長尺撮影を行う際、複数の放射線検出装置における撮影有効領域の重なりを任意に設定することができる。
【図面の簡単な説明】
【０００８】
【図１】本発明に係る放射線撮影システムを示す図。
【図２】本発明に係る撮影台の構成を示す図。
【図３】本発明に係る撮影台の内部機構を示す図。
【図４】本発明に係る撮影台の内部機構を示す図。
【図５】本発明に係る撮影台の放射線検出装置の保持部を示す図。
【図６】本発明に係る撮影台の放射線検出装置の移動部を示す図。
【図７】本発明に係る撮影台の構成を示す図。
【図８】本発明に係る撮影台の放射線検出装置の保持部を示す図。
【図９】本発明に係る撮影台の内部機構を示す図。
【図１０】本発明に係る撮影台の内部機構を示す図。
【発明を実施するための形態】
【０００９】
以下、本発明の実施形態について、添付の図面を参照して具体的に説明する。ただし、各実施形態に示す寸法や構造の詳細は、本文及び図中に示す限りではない。なお、本明細書では、Ｘ線だけでなく、α線、β線、γ線、粒子線、宇宙線なども、放射線に含まれるものとする。
【実施例１】
【００１０】
まず、図１を用いて本発明に係る放射線撮影システムを説明する。図１は、放射線撮影システムを説明するための図である。
【００１１】
放射線撮影システム１０１は、ＲＩＳ端末１０２と、ＰＡＣＳ端末１０３と、ビューワー端末１０４と、プリンタ１０５と、放射線撮影ユニット１０７とを備える。各構成要素は、ネットワーク等の通信部１０６を介して接続されている。さらに、放射線撮影システム１０１は、ＷＳ（ＷｏｒｋＳｔａｔｉｏｎ）を備えることもでき、画像処理端末として、放射線撮影システム１０１で撮影された放射線画像を処理し、診断のための画像を取得することができる。
【００１２】
ＲＩＳ端末１０２は、放射線撮影システム１０１に接続されている操作端末であり、放射線部門内の情報システムを構成する。情報システムは、例えば、放射線画像又は撮影情報に付される付帯的な情報である付帯情報を統括的に管理する情報管理システムである。付帯情報は、検査ＩＤ又は受付番号などの撮影情報を含む。
【００１３】
ＲＩＳ端末１０２を介して、操作者は撮影情報（検査指示）を入力する。撮影情報に従って、放射線撮影ユニット１０７による撮影が行われる。本実施形態においては、入力された撮影情報はＲＩＳ端末１０２によって格納及び管理されるものとする。なお、入力された撮影情報は、ＲＩＳ端末１０２及び放射線撮影ユニット１０７に接続されたサーバー（図示しない。）によって格納及び管理されてもよい。
【００１４】
ＰＡＣＳ端末１０３は、放射線撮影ユニット１０７により撮影された放射線画像を保存及び管理する。すなわち、ＰＡＣＳ端末１０３は、放射線画像を管理する画像管理システムの一部として働きうる。ビューワー端末１０４は、ＰＡＣＳ端末１０３に保存されている放射線画像を表示出力することができる。プリンタ１０５は、ＰＡＣＳ端末１０３に保存されている放射線画像を印刷出力することができる。
【００１５】
放射線撮影ユニット１０７は、放射線画像を撮影する。放射線撮影ユニット１０７は、複数の撮影情報を含む撮影情報に基づいて撮影を行う。撮影情報には、撮影プロトコル情報が含まれ、撮影プロトコルのそれぞれは、撮影条件、又は放射線画像に対して実施する画像処理の内容を規定する。詳細には、撮影プロトコルは、撮影時又は画像処理時等に用いられるパラメータ情報又は撮影実施情報、並びに、例えばセンサ種類若しくは撮影姿勢のような撮影環境情報を含む。また、撮影情報には、検査ＩＤ及び受付番号等の撮影情報を特定する、又は放射線画像を特定する情報が含まれる。
【００１６】
放射線撮影ユニット１０７は、撮影部１１５と、放射線発生制御部１１１と、放射線撮影制御部１１２と、表示部１１３と、操作部１１４とを備える。撮影部１１５は、放射線源１０８と、放射線検出装置Ｄ１、Ｄ２及びＤ３を含む撮影台Ｓとを、備える。放射線源１０８は、放射線を発生する放射線発生部として機能する。すなわち、放射線源１０８は、本実施例ではＸ線管球であり、被写体（すなわち、被検者）に向けて放射線（ここではＸ線）を照射する。
【００１７】
放射線検出装置Ｄ１、Ｄ２及びＤ３は、放射線を検出する放射線検出部として機能する。すなわち、放射線検出装置Ｄ１、Ｄ２及びＤ３は、被検者を透過した放射線を、透過放射線量に相当する電荷として検出する。放射線を電荷に変換するためのセンサは、ａ−Ｓｅなどの放射線を直接的に電荷に変換する直接変換型センサや、ＣｓＩなどのシンチレータとａ−Ｓｉなどの光電変換素子を用いた間接型センサが用いられる。さらに、放射線検出装置Ｄ１、Ｄ２及びＤ３は、検出された電荷をＡ／Ｄ変換することにより、画像データである放射線画像を生成し、放射線画像を放射線撮影制御部１１２へ転送する。
【００１８】
本実施形態においては、複数の放射線検出装置Ｄ１、Ｄ２及びＤ３は、撮影台Ｓに収納されている。撮影台Ｓは、矩形の筐体であり、筐体内は中空である。撮影台Ｓは、複数の放射線検出装置Ｄ１、Ｄ２及びＤ３を覆っている。つまり、撮影台Ｓは、複数の放射線検出装置Ｄ１、Ｄ２及びＤ３のカバーにもなっている。また、撮影台Ｓは、複数の放射線検出装置Ｄ１、Ｄ２及びＤ３を保持して、それぞれ移動させる機能を有している。
【００１９】
図１に示すように、撮影台Ｓを床面に対して直立させ、撮影台Ｓが配置される。被検者は、撮影台Ｓの長手方向に沿って設置される。撮影台Ｓは、被検者９０を支える支持機能を有している。
【００２０】
図１では、撮影台Ｓの長手方向が鉛直方向となるように、すなわち、撮影台Ｓが床面に対して直立するように撮影台Ｓが設置される。なお、撮影台Ｓの長手方向が水平方向となるように、すなわち、撮影台Ｓが床面に対して平行となるように撮影台Ｓが設置されてもよい。このとき、被検者９０が臥位であるときの撮影が可能となる。
【００２１】
撮影台Ｓには、複数の放射線検出装置Ｄ１、Ｄ２及びＤ３が撮影台Ｓの長手方向に沿ってそれぞれ配置される。このとき、放射線検出装置の一部を重ねながら複数の放射線検出装置Ｄ１、Ｄ２及びＤ３が配置される。例えば、図１に示すように、放射線検出装置Ｄ１と放射線検出装置Ｄ２は、一部が空間的に互いに重なるように配置される。このとき、放射線検出装置Ｄ１と放射線検出装置Ｄ２の撮影有効領域は互いに重なっている。同様にして、放射線検出装置Ｄ２と放射線検出装置Ｄ３は、一部が空間的に互いに重なるように配置される。このとき、放射線検出装置Ｄ２と放射線検出装置Ｄ３の撮影有効領域は互いに重なっている。
【００２２】
具体的には、放射線検出装置Ｄ２は、放射線検出装置Ｄ１及び放射線検出装置Ｄ３よりも放射線源１０８側、すなわち、放射線照射側に配置されている。また、放射線検出装置Ｄ２は、その一部が放射線照射側から見て放射線検出装置Ｄ１及び放射線検出装置Ｄ３の一部で空間的に重なるように、配置されている。ここで、空間的に重なるとは、物理的に接して重なっていてもよく、また、物理的に接することなく空間を介して重なっていてもよい。複数の放射線検出装置が重なっている重複領域１２０を有することによって、画像の合成が可能となる。重複領域１２０において、放射線検出装置Ｄ１及び放射線検出装置Ｄ３には、放射線源１０８側に配置されている放射線検出装置Ｄ２の構造が少なからず写り込まれるため、一部画像品位が低下した領域が生じる。また、放射線検出装置の重ね合わせ順を、上段から、前面／背面／前面の順にすることで、上端及び下端において拡大率が大きくなることを抑制することができる。
【００２３】
放射線発生制御部１１１は、放射線撮影制御部１１２の制御に従い、撮影プロトコルに基づいて放射線の発生を制御する。具体的には、放射線発生制御部１１１は、撮影プロトコルに対応する撮影条件（例えば、管電流、管電圧、照射時間等のパラメータ）に従って、放射線源１０８に電圧を印加して放射線を発生させる。
【００２４】
放射線撮影制御部１１２は、撮影プロトコルに基づいた放射線撮影処理を統括制御する。制御装置１１２は例えば所望のソフトウェアプログラムがインストールされた電子計算機（ＰＣ：Ｐｅｒｓｏｎａｌ  Ｃｏｍｐｕｔｅｒ）である。また、放射線撮影制御部１１２は、撮影部１１５から得た放射線画像に対して画像処理を行う。画像処理には、各放射線検出装置からの複数の放射線画像の合成処理、補正処理、階調処理、及び周波数処理等が含まれる。放射線撮影制御部１１２による画像処理は、撮影プロトコルに従う画像処理パラメータを用いて行われる。
【００２５】
また、放射線撮影制御部１１２は、得られた放射線画像をＰＡＣＳ端末１０３又はプリンタ１０５のような外部装置に送信することができる。放射線画像を送信されたＰＡＣＳ端末１０３は、送信された放射線画像を、放射線画像を識別するための撮影情報とともに格納する。撮影情報は、例えば、撮影情報に付された検査ＩＤ又は受付番号等である。ＰＡＣＳ端末１０３は、撮影情報を放射線画像に関連付けて格納してもよい。
【００２６】
表示部１１３は、操作者に対してシステム状態等の情報を表示する。表示部１１３は、例えばディスプレイ、モニタである。表示部１１３は、例えば、ＲＩＳ端末１０２から受信した撮影情報、又は放射線撮影ユニット１０７の操作者が作成した撮影情報を表示することができる。操作部１１４は、操作者からの指示を取得する。操作部１１４は、例えばキーボード、マウス又は各種のボタン等である。例えば、操作者は、操作部１１４を介して、放射線撮影ユニット１０７に対して画像複製の指示を入力することができる。
【００２７】
撮影台Ｓは、様々な情報の無線通信を行う無線通信部１１７を備えている。無線通信部１１７を介して、放射線画像及び放射線検出装置Ｄ１、Ｄ２及びＤ３の位置情報がネットワーク等の通信部１０６に送られる。
【００２８】
なお、複数の放射線検出装置Ｄ１、Ｄ２及びＤ３は、放射線源１０８からの放射線の照射を自動検知する検知機能を有していてもよい。自動検知する検知機能は、放射線源１０８から放射線が照射された際、複数の放射線検出装置Ｄ１、Ｄ２及びＤ３が放射線を検知して放射線に起因する電荷を蓄積する機能である。複数の放射線検出装置Ｄ１、Ｄ２及びＤ３のいずれかに１つより放射線の照射を検知した際、複数の放射線検出装置Ｄ１、Ｄ２及びＤ３は、本読み動作を開始させて画像データを取得する。
【００２９】
次に図２を用いて、放射線撮影システムの撮影台Ｓの構成を説明する。図２（ａ）は、撮影台Ｓを放射線源１０８側から見た図である。撮影台Ｓの前面に被検者９０が配置される。また、撮影台Ｓには、被検者９０の関心領域と、複数の放射線検出装置Ｄ１、Ｄ２及びＤ３の位置とを表示する状態表示部５０が設置されている。状態表示部５０は、被検者９０が撮影台Ｓに配置されても、被検者９０に隠れない位置、すなわち被検者９０に覆われない位置に設置されている。図２では、状態表示部５０が液晶の表示パネルになっている例を示している。状態表示部５０は、液晶マーカーやランプなどであってもよく、撮影状態を表示するものであればよい。
【００３０】
まず、操作者は、操作部１１４を介して、被検者９０の関心領域を設定する。例えば、操作者は、操作部１１４を介して、被検者９０の頭部を含む上半身の関心領域を設定したり、被検者９０の下半身の関心領域を設定したりすることができる。具体的には、操作者は、操作部１１４を介して、関心領域の上限位置５２ａ及び下限位置５２ｂ、関心領域の上限位置５２ａ及び下限位置５２ｂの間の関心範囲５２ｃを任意に設定することができる。状態表示部５０は、関心領域の上限位置５２ａ及び下限位置５２ｂ、関心領域の上限位置５２ａ及び下限位置５２ｂの間の関心範囲５２ｃを表示する。
【００３１】
また、放射線撮影制御部１１２は、被検者９０の身体情報（例えば、身長）とＲＩＳ端末１０２などの院内システムから得られる撮影情報に基づいて、関心領域の上限位置５２ａ及び下限位置５２ｂを取得してもよい。放射線撮影制御部１１２は、関心領域の上限位置５２ａ及び下限位置５２ｂを状態表示部５０に伝達する。状態表示部５０は、関心領域の上限位置５２ａ及び下限位置５２ｂ、関心領域の上限位置５２ａ及び下限位置５２ｂの間の関心範囲５２ｃを表示する。
【００３２】
そして、状態表示部５０は、図２（ａ）に示すように、関心領域の上限位置５２ａ及び下限位置５２ｂを表示する。また、状態表示部５０は、関心領域の上限位置５２ａ及び下限位置５２ｂの間の関心範囲５２ｃを表示する。操作者は、被検者９０の位置を確認しながら、状態表示部５０に表示される関心領域の上限位置５２ａ及び下限位置５２ｂを任意に設定することができる。このように、操作者は、状態表示部５０に表示される情報から被検者９０の関心領域を認識することができる。操作者は、複数の放射線検出装置Ｄ１、Ｄ２及びＤ３と被検者９０との相対関係を認識することで、放射線画像を取得する範囲が適切かどうかを判断することができる。
【００３３】
また、状態表示部５０は、複数の放射線検出装置Ｄ１、Ｄ２及びＤ３の位置を表示することができる。放射線撮影システムは、複数の放射線検出装置Ｄ１、Ｄ２及びＤ３のそれぞれ位置を検出する位置センサを備えている。位置センサは、複数の放射線検出装置Ｄ１、Ｄ２及びＤ３の上下方向の位置情報と水平方向の位置情報を検出することができる。位置センサは、例えば、それぞれの放射線検出装置Ｄ１、Ｄ２及びＤ３に備えられたリニアスケールである。
【００３４】
位置センサは、複数の放射線検出装置Ｄ１、Ｄ２及びＤ３の位置を検出し、状態表示部５０に放射線検出装置Ｄ１、Ｄ２及びＤ３の位置情報を伝達する。状態表示部５０は、複数の放射線検出装置Ｄ１、Ｄ２及びＤ３の位置を表示することができる。図２（ａ）に示すように、状態表示部５０は、放射線検出装置Ｄ１の位置情報５１ａと、放射線検出装置Ｄ２の位置情報５１ｂと、放射線検出装置Ｄ３の位置情報５１ｃを表示する。よって、操作者は、放射線検出装置Ｄ１が最も上側に配置され、放射線検出装置Ｄ３が最も下側に配置され、放射線検出装置Ｄ２が放射線検出装置Ｄ１と放射線検出装置Ｄ３の間に配置されていることを認識することができる。また、操作者は、放射線検出装置Ｄ１と放射線検出装置Ｄ２のつなぎ目と、放射線検出装置Ｄ２と放射線検出装置Ｄ３のつなぎ目を認識することができる。
【００３５】
状態表示部５０は、放射線検出装置Ｄ１の位置情報５１ａ及び放射線検出装置Ｄ３の位置情報５１ｃを、放射線検出装置Ｄ２の位置情報５１ｂよりも左側（被検者９０側）に表示している。よって、操作者は、放射線検出装置Ｄ１及び放射線検出装置Ｄ３が放射線検出装置Ｄ２よりも放射線源１０８側、すなわち放射線照射側に配置されていることを認識することができる。
【００３６】
よって、操作者は、状態表示部５０に表示される情報によって、撮影台Ｓの状況を認識することができる。被検者９０に撮影位置に立ってもらった際に、被検者９０と放射線検出装置Ｄ１、Ｄ２及びＤ３の関係が認識することができる。また、操作者は、放射線検出装置Ｄ１、Ｄ２及びＤ３のつなぎ目の位置がどこにあるのかを認識することができる。操作者は、被検者９０の関心領域における注目部位が放射線検出装置Ｄ１、Ｄ２及びＤ３のつなぎ目に当たらないように、放射線検出装置Ｄ１、Ｄ２及びＤ３を移動させることができる。
【００３７】
また、撮影台Ｓには、放射線検出装置Ｄ１、Ｄ２及びＤ３が撮影可能な状態にあるかどうかを示す撮影表示部５３が設置されている。撮影表示部５３は、被検者９０の撮影情報などを文字情報として表示してもよい。また、放射線撮影システムは、撮影時の被検者９０の体動状況を検知する体動検知センサ（図示しない。）を備え、撮影表示部５３に被検者９０の体動状況を表示してもよい。例えば、体動検知センサは、撮影台Ｓと被検者９０との接触面に設置され、被検者９０の接触状況（接触の有無）によって体動状況を検知することができる。操作者は、被検者９０の体動状況を認識することにより、被検者９０が体動していないときに撮影を行うことができる。
【００３８】
なお、状態表示部５０、撮影表示部５３について、視覚的な観点で説明をしたが、他の幾何学的形状を使用したり、輝度変化や大きさの状態変化を使用したりしてもよい。また、報知音を出すなど聴覚を併用してもよい。これらの情報は、図１に示す表示部１１３に表示されてもよい。
【００３９】
図２（ｂ）は撮影台Ｓを側面から見た図である。被検者９０の後ろには衝立３０が設置され、被検者９０をその背後の移動部から保護している。衝立３０の背後には、複数の放射線検出装置Ｄ１、Ｄ２及びＤ３の支持部６０ａ、６０ｂ及び６０ｃを有する撮影台Ｓが配置されている。
【００４０】
撮影台Ｓは、複数の放射線検出装置Ｄ１、Ｄ２及びＤ３をそれぞれ支持する支持部６０ａ、６０ｂ及び６０ｃを備える。また、撮影台Ｓは、撮影台Ｓの長手方向に沿って支持部６０ａ、６０ｂ及び６０ｃを放射線検出装置Ｄ１、Ｄ２及びＤ３とともに移動させる移動部（移動機構：詳細は後述。）とを備える。また、放射線撮影システムは、複数の放射線検出装置Ｄ１、Ｄ２及びＤ３から複数の放射線画像を取得して合成する放射線撮影制御部１１２とを備える。ここでは、撮影台Ｓは、複数の放射線検出装置をそれぞれ支持する複数の支持部６０ａ、６０ｂ及び６０ｃと、撮影台Ｓの長手方向に沿って複数の支持部６０ａ、６０ｂ及び６０ｃをそれぞれ独立して移動させる移動部とを有している。
【００４１】
移動部は、撮影台Ｓに内部に設置されている。移動部は、支持部６０ａ、６０ｂ及び６０ｃをそれぞれ独立して移動させる。本実施形態では、移動部は、支持部６０ａ、６０ｂ及び６０ｃを撮影台Ｓの長手方向（上下方向）に沿って移動させ、複数の放射線検出装置Ｄ１、Ｄ２及びＤ３を移動させることができる。
【００４２】
移動部は、例えば、図２（ｂ）に示す形態から支持部６０ａ、６０ｂを上方向に移動させ、図２（ｃ）に示す形態に変更することができる。よって、移動部は、放射線検出装置Ｄ１と放射線検出装置Ｄ２を上方向に移動させることができ、被検者９０の頭部を含む上半身を撮影することができる。
【００４３】
図３は、撮影台Ｓの内部機構を示す図である。図３は、撮影台Ｓにおいて放射線源１０８から見た場合において、衝立３０より後方の部分の放射線検出装置Ｄ１、Ｄ２及びＤ３を示したものである。
【００４４】
撮影台Ｓには、複数の放射線検出装置Ｄ１、Ｄ２及びＤ３を支持する複数の支持部６０ａ、６０ｂ及び６０ｃと、複数の支持部６０ａ、６０ｂ及び６０ｃを移動させるための複数のスリット６１ａ、６１ｂ及び６１ｃが設置されている。複数のスリット６１ａ、６１ｂ及び６１ｃは、複数の支持部６０ａ、６０ｂ及び６０ｃを移動させるガイドとなる。
【００４５】
放射線検出装置Ｄ１は、支持部６０ａに支持される。本実施形態では、支持部６０ａは２つの部材から構成されている。支持部６０ａは、放射線検出装置Ｄ１の下側を支持する部材である。スリット６１ａに沿って、撮影台Ｓの長手方向（上下方向）に支持部６０ａは移動することができる。スリット６１ａは、撮影台Ｓにおいて最も内側に配置されたスリットである。具体的には、操作者は、支持部６０ａを把持して、支持部６０ａをスリット６１ａに沿って移動させることにより、撮影台Ｓの長手方向（上下方向）に放射線検出装置Ｄ１を移動させることができる。操作者は、支持部６０ａから手を離すことにより、放射線検出装置Ｄ１は、移動後の位置を保つことができる。
【００４６】
同様にして、放射線検出装置Ｄ２は、支持部６０ｂに支持される。本実施形態では、支持部６０ｂは２つの部材から構成されている。支持部６０ｂは、放射線検出装置Ｄ２の下側を支持する部材である。スリット６１ｂに沿って、撮影台Ｓの長手方向（上下方向）に支持部６０ｂは移動することができる。スリット６１ｂは、撮影台Ｓにおいて最も外側に配置されたスリットである。具体的には、操作者は、支持部６０ｂを把持して、支持部６０ｂをスリット６１ｂに沿って移動させることにより、撮影台Ｓの長手方向（上下方向）に放射線検出装置Ｄ２を移動させることができる。操作者は、支持部６０ｂから手を離すことにより、放射線検出装置Ｄ２は、移動後の位置を保つことができる。
【００４７】
同様にして、放射線検出装置Ｄ３は、支持部６０ｃに支持される。本実施形態では、支持部６０ｃは２つの部材から構成されている。支持部６０ｃは、放射線検出装置Ｄ３の下側を支持する部材である。スリット６１ｃに沿って、撮影台Ｓの長手方向（上下方向）に支持部６０ｃは移動することができる。スリット６１ｃは、撮影台Ｓにおいてスリット６１ａとスリット６１ｂの間に配置されたスリットである。具体的には、操作者は、支持部６０ｃを把持して、支持部６０ｃをスリット６１ｃに沿って移動させることにより、撮影台Ｓの長手方向（上下方向）に放射線検出装置Ｄ３を移動させることができる。操作者は、支持部６０ｃから手を離すことにより、放射線検出装置Ｄ３は、移動後の位置を保つことができる。
【００４８】
つまり、撮影台Ｓの長手方向（上下方向）に沿って複数の支持部６０ａ、６０ｂ及び６０ｃをそれぞれ独立して移動させることができる。移動部は、例えば、図３（ａ）に示す形態から支持部６０ａ、６０ｂを上方向に移動させ、図３（ｂ）に示す形態に変更することができる。放射線検出装置Ｄ１と放射線検出装置Ｄ２を上方向に移動させることができ、被検者９０の頭部を含む上半身を撮影することができる。
【００４９】
また、複数の支持部６０ａ、６０ｂ及び６０ｃは、それぞれ、複数の放射線検出装置Ｄ１、Ｄ２及びＤ３の同じ側面（下側）を支持する。よって、複数の支持部６０ａ、６０ｂ及び６０ｃがそれぞれ同じ側に配置させることができる。つまり、複数の支持部６０ａ、６０ｂ及び６０ｃの重なり度合を高めることができ、放射線検出装置Ｄ１、Ｄ２及びＤ３を任意の位置に配置させることができる。
【００５０】
図４は、撮影台Ｓの内部機構を示す図である。図４は、撮影台Ｓにおいて放射線源１０８から見た場合において、衝立３０より後方の部分の放射線検出装置Ｄ１、Ｄ２及びＤ３を示したものである。
【００５１】
図３に示す形態から、放射線検出装置Ｄ２を前方向（放射線源１０８側）に移動させることにより、図４に示すように、放射線検出装置Ｄ２を放射線検出装置Ｄ１及び放射線検出装置Ｄ３よりも放射線源１０８側、すなわち、放射線照射側に配置することができる。
【００５２】
放射線検出装置Ｄ２は、支持部６０ｂに支持される。スリット６１ｂに沿って、撮影台Ｓの長手方向（上下方向）に支持部６０ｂを移動することができる。スリット６１ｂは、撮影台Ｓにおいて最も外側に配置されたスリットである。よって、撮影台Ｓの上端から下端まで放射線検出装置Ｄ２を任意に移動させることができる。つまり、複数の支持部６０ａ、６０ｂ及び６０ｃを撮影台Ｓの長手方向（上下方向）に任意に移動させても、複数の支持部６０ａ、６０ｂ及び６０ｃが互いに干渉しない。
【００５３】
放射線検出装置Ｄ２は、放射線源１０８側、すなわち放射線照射側に配置しているため、放射線検出装置Ｄ２を適宜移動させて、被検者９０の関心領域における注目部位を放射線検出装置Ｄ２で撮影するようにすればよい。よって、被検者９０の関心領域における注目部位が放射線検出装置Ｄ１、Ｄ２及びＤ３のつなぎ目に当たらないようにすることができる。
【００５４】
このように、撮影台Ｓの長手方向（上下方向）に沿って複数の支持部６０ａ、６０ｂ及び６０ｃをそれぞれ独立して移動させることができる。図４（ａ）に示す形態は、被検者９０の全身を撮影する形態である。移動部は、例えば、図４（ａ）に示す形態から支持部６０ａ、６０ｂを下方向に移動させ、図４（ｂ）に示す形態に変更することができる。操作者は、放射線検出装置Ｄ１と放射線検出装置Ｄ２を下方向に移動させることができ、被検者９０の下半身を中心に撮影することができる。移動部は、例えば、図４（ａ）に示す形態から支持部６０ａ、６０ｂを上方向に移動させ、図４（ｃ）に示す形態に変更することができる。操作者は、放射線検出装置Ｄ１と放射線検出装置Ｄ２を下方向に移動させることができ、被検者９０の上半身の上側と下半身の下側を撮影することができる。
【００５５】
次に、放射線検出装置Ｄ１、Ｄ２及びＤ３の保持部及び移動部について、図５、６を用いて具体的に説明する。ここでは、放射線検出装置Ｄ２の保持部及び移動部を一例として説明する。
【００５６】
図５は、放射線検出装置Ｄ２を保持する保持部の形態を示した図である。図５（ａ）は、放射線検出装置Ｄ２を放射線源１０８側から見た図の一部である。図５（ｂ）は、放射線検出装置Ｄ２を側面から見た図である。図５（ｃ）は、放射線検出装置Ｄ２を放射線源１０８側の反対側から見た図である。
【００５７】
支持部６０ｂには、放射線検出装置Ｄ２を保持する保持部材２１、２２が保持部として備えられている。保持部材２１、２２は、放射線検出装置Ｄ２の周囲を囲うように保持する部材である。放射線検出装置Ｄ２の周囲は、周縁部である。保持部材２１は放射線検出装置Ｄ２の上側を保持し、保持部材２２は放射線検出装置Ｄ２の下側を保持する。
【００５８】
保持部材２１、２２には、放射線検出装置Ｄ２が前面に倒れこまないように、放射線検出装置Ｄ２の前面を覆う係止部２１ａ、２２ａが設置されている。係止部２１ａ、２２ａは、放射線検出装置Ｄ２において放射線を撮影することができる撮影有効領域１３にかからない位置に設置されている。よって、係止部２１ａ、２２ａが放射線画像に映り込むことがない。
【００５９】
また、保持部材２１、２２の背面には背面板２３が配置される。背面板２３には溝部２４が設置されている。背面板２３と保持部材２１から延伸した延伸部材が勘合する。保持部材２１は、保持部材２２に対して上下方向に相対的に移動可能となっている。
【００６０】
保持部材２１、２２の間には、弾性力を有するバネ２５（弾性部材）が設置されている。放射線検出装置Ｄ２を保持部材２１、２２で保持する際、保持部材２１、２２に対して一定の力で挟む方向に力が掛るようにバネ２５（弾性部材）が機能する。つまり、保持部材２１と保持部材２２は、バネ２５（弾性部材）によって放射線検出装置Ｄ２を挟む方向に力が掛けられ、放射線検出装置Ｄ２を挟み込むことができる。つまり、保持部材２１と保持部材２２によって、放射線検出装置Ｄ２を挟み込み、保持することができる。具体的には、放射線検出装置Ｄ２を保持する場合、操作者は放射線検出装置Ｄ２の上端で保持部材２１に引っかけて押し上げつつ、保持部材２２に放射線検出装置Ｄ２の下端を嵌め込む。このような構成にすることにより、放射線検出装置Ｄ２を保持部材２１、２２によって保持することができる。
【００６１】
また、保持部材２１、２２、すなわち保持部は、サイズ違いの放射線検出装置を保持することができる。具体的には、左右に配置された保持部材２１は、左右方向（水平方向）に移動可能となっている。保持部材２１は、左右から放射線検出装置Ｄ２を挟み込んで保持する。例えば、右側に配置された保持部材２１は放射線検出装置Ｄ２の右側上部を保持し、左側に配置された保持部材２１は放射線検出装置Ｄ２の左側上部を保持する。
【００６２】
また、左右に配置された保持部材２２は、左右方向（水平方向）に移動可能となっている。保持部材２２は、左右から放射線検出装置Ｄ２を挟み込んで保持する。例えば、右側に配置された保持部材２２は放射線検出装置Ｄ２の右側下部を保持し、左側に配置された保持部材２２は放射線検出装置Ｄ２の左側下部を保持する。
【００６３】
このように、保持部材２１は、保持部材２２に対して上下方向に相対的に移動可能であるとともに、左右の保持部材２１は、左右方向（水平方向）に相対的に移動可能であり、左右の保持部材２２は、左右方向（水平方向）に相対的に移動可能である。
【００６４】
よって、保持部材２１、２２は、上下方向と左右方向（水平方向）から放射線検出装置Ｄ２を保持することができる。サイズ違いの放射線検出装置を保持することができる。サイズが小さい放射線検出装置を保持する場合であっても、保持部材２１、２２を上下左右に移動させることにより、放射線検出装置を保持することができる。
【００６５】
ここでは、放射線検出装置Ｄ２の保持部を一例として説明したが、放射線検出装置Ｄ１、放射線検出装置Ｄ３の保持部も同様である。
【００６６】
図６は、放射線検出装置Ｄ２を移動させる移動部を示した図である。図６は、撮影台Ｓにおいて放射線検出装置Ｄ２の保持部２０を上下方向及び水平方向に移動させる移動部の一例を示している。移動部は、主に、放射線検出装置Ｄ２を上下に移動させる上下移動部３６と、放射線検出装置Ｄ２を前後に移動させる前後移動部４０からなる。
【００６７】
なお、図６を用いて移動部の詳細な構造を説明するため、図６の縮尺は他の図面と異なっている。保持部２０は、図５で説明した放射線検出装置Ｄ２の保持する機構である。
【００６８】
放射線検出装置Ｄ２を上下に移動させる上下移動部３６について説明する。上下移動部３６は、放射線検出装置Ｄ２を撮影台Ｓの長手方向（上下方向）に移動させる移動機構である。撮影台Ｓの内部には、保持部２０を上下方向に移動するためのガイドシャフト３１及びホルダ３２が設置されている。ホルダ３２は、ガイドシャフト３１に沿って撮影台Ｓの長手方向（上下方向）に移動することができる。
【００６９】
ホルダ３２には、支持部６０ｂが接続されている。ホルダ３２を撮影台Ｓの長手方向（上下方向）に移動させることにより、撮影台Ｓの長手方向（上下方向）に保持部２０（放射線検出装置Ｄ２）を移動させることができる。
【００７０】
また、ホルダ３２は、ホルダ３２の位置情報を検知するためのセンサ３３を備えている。センサ３３は、撮影部Ｓに配置されたリニアスケール３３ａから位置を読取り、保持部２０の上下方向の位置を検知する。つまり、センサ３３は、放射線検出装置Ｄ２における撮影台Ｓの長手方向（上下方向）の位置を検知することができる。センサ３３は、放射線検出装置Ｄ２の位置を表示する状態表示部５０に伝達する。状態表示部５０は、放射線検出装置Ｄ２の位置を表示することができる。
【００７１】
撮影台Ｓは、ホルダ３２が固定されたベルト３５及びプーリ３４を備えている。撮影台Ｓは、プーリ３４を回転させる回転部を備えている。回転部によって、プーリ３４を回転させることにより、ベルト３５を移動させることができる。このように、放射線検出装置Ｄ２を撮影台Ｓの長手方向（上下方向）に移動させることができる。
【００７２】
上下移動部３６は、ベルト３５の代わりにチェーンを用いてもよい。また、シャフト３１にらせん状に溝を切り、ホルダ３２側には突部を設けて溝にはめ込み、シャフト３１を軸中心線に対して回転動作をさせることにより上下させることも可能である。
【００７３】
次に、放射線検出装置Ｄ２を前後に移動させる前後移動部４０について説明する。前後移動部４０は放射線検出装置Ｄ２を水平方向（前後方向：放射線発生方向）に移動させる移動機構である。前後移動部４０は、保持部２０から延伸した支持部６０ｂの延長線上にラック４２を備えている。また、前後移動部４０は、ラック４２に噛み合う歯車であるピニオン４１及びラック４２を支持するガイド４３を備えている。ピニオン４１を支える支持部とガイド４３は、ホルダ３２に連結されている。つまり、前後移動部４０は、上下移動部３６に連結されている。
【００７４】
ピニオン４１が回転することにより、撮影台Ｓの水平方向に保持部２０（放射線検出装置Ｄ２）を移動させることができる。
【００７５】
これらにより、保持部２０は放射線検出装置Ｄ２によって取得され合成された画像の長手方向や放射線源１０８側から見た際の奥行き方向であるの放射線入射面に対して上下方向及び水平方向に移動可能となる。また撮影部Ｓはこれらの機構を複数有し、個々に独立して保持部２０（放射線検出装置Ｄ２）を移動させて相対的な位置を変更することが可能となっている。
【００７６】
ここでは、放射線検出装置Ｄ２の移動部を一例として説明したが、放射線検出装置Ｄ１、放射線検出装置Ｄ３の移動部も同様である。
【００７７】
以上、本実施形態によれば、撮影台Ｓは、放射線を検出する複数の放射線検出装置Ｄ１、Ｄ２及びＤ３を収納する。そして、撮影台Ｓは、放射線検出装置Ｄ１、Ｄ２及びＤ３を支持する支持部６０ａ、６０ｂ及び６０ｃと、撮影台Ｓの長手方向に沿って支持部６０ａ、６０ｂ及び６０ｃを放射線検出装置Ｄ１、Ｄ２及びＤ３とともに移動させる移動部３６とを備える。よって、複数の放射線検出装置Ｄ１、Ｄ２及びＤ３を独立して移動させることができる。複数の放射線検出装置Ｄ１、Ｄ２及びＤ３を並べて、長尺撮影を行う際、複数の放射線検出装置Ｄ１、Ｄ２及びＤ３における撮影有効領域の重なりを任意に設定することができる。
【００７８】
なお、放射線検出装置は２つ又は４つ以上でもよく、放射線検出装置の移動方向は上下、前後以外の短手方向である左右方向であってもよい。そして、放射線検出装置は、撮影プロトコルによっては複数の放射線検出装置の一部が不使用の場合がある。その際、相対位置情報は、自動又は手動で選択された撮影に使用する放射線検出装置のみが操作者に認識できることが操作者の使い勝手向上のために好ましい。そして、操作者は、不使用の放射線検出装置を撮影領域外や使用する放射線検出装置の背面に移動させ、撮影画像に写りこまないようにする。これらの説明は、主に被検者９０が立位の場合に対応する放射線撮影システムについて行ったが、被検者９０が臥位の場合に対応する放射線撮影システムにおいても同様である。
【００７９】
次に、放射線撮影システムを用いた具体的な撮影形態について図２、図３、図７を用いて説明する。被検者９０の上半身を関心領域とし、被検者８０の全体を撮影する場合の例を説明する。まず、放射線撮影システムは、被検者の撮影情報を入手する。被検者の撮影情報の入手先はＲＩＳ端末１０２などの院内システムから得られる撮影情報などである。
【００８０】
具体的には、被検者９０の関心領域などの撮影範囲や、被検者９０の身長などの体格情報である。撮影台Ｓに設置されている放射線検出装置Ｄ１、Ｄ２及びＤ３は先に述べた通り基本姿勢が図３（ａ）の形態である。つまり、放射線検出装置Ｄ１及び放射線検出装置Ｄ３は、放射線検出装置Ｄ２よりも放射線源１０８側、すなわち、放射線源１０８側に配置されている。また、放射線検出装置Ｄ１及び放射線検出装置Ｄ３は、その一部が放射線照射側から見て放射線検出装置Ｄ２の一部で空間的に重なるように配置されている。
【００８１】
撮影情報を元に関心領域を定めた後、操作者は、図２（ｃ）、図３（ｂ）のように放射線検出装置Ｄ１、Ｄ２及びＤ３を関心領域に放射線検出装置の重なりがないよう配置変更を行う。具体的には、操作者は、図２（ｃ）、図３（ｂ）に示すように、放射線検出装置Ｄ１及びＤ２を上方に移動し、放射線検出装置Ｄ３を下方に移動する。放射線検出装置Ｄ１、Ｄ２及びＤ３の相対位置は、放射線検出装置Ｄ１、Ｄ２及びＤ３によって取得され合成された画像の長手方向だけでなく、放射線源１０８側から見た際の放射線入射方向から見て水平方向も変化する。
【００８２】
図２（ｃ）、図３（ｂ）に示す例では、放射線検出装置Ｄ２とＤ３の間は空間が空いてしまうことになるが、被検者９０の関心領域ではない場合、問題とはならない。なお、放射線撮影制御部１１２は、放射線検出装置Ｄ２とＤ３の間の相対位置情報を認識しておき、放射線画像取得後に放射線画像つなぎ合わせ時に相対位置情報を使用することもできる。相対位置情報は、放射線検出装置Ｄ１、Ｄ２及びＤ３に設けられたセンサ３３によって、取得される。センサ３３は、上述した通り、放射線検出装置Ｄ１、Ｄ２及びＤ３における撮影台Ｓの長手方向（上下方向）の位置を検知することができる。
【００８３】
まず、放射線撮影制御部１１２は、放射線撮影前に放射線検出装置Ｄ２とＤ３の間の相対位置情報と放射線画像の位置関係（テーブル）を予め取得しておく。放射線撮影制御部１１２は、放射線検出装置Ｄ２とＤ３の間の相対位置情報に基づいて、放射線検出装置Ｄ２とＤ３を得られる放射線画像の位置調整を行う。そして、放射線撮影制御部１１２は、位置調整が行われた複数の放射線画像を合成して合成画像（長尺画像）を生成する。なお、放射線撮影制御部１１２は、放射線検出装置Ｄ１とＤ２の間の相対位置情報に基づいて、放射線検出装置Ｄ１とＤ２を得られる放射線画像の位置調整を行うこともできる。放射線撮影制御部１１２は、位置調整が行われた複数の放射線画像を合成して合成画像（長尺画像）を生成することもできる。
【００８４】
また、放射線検出装置Ｄ１、Ｄ２及びＤ３が移動している間は撮影することができないため、放射線撮影制御部１１２は、放射線検出装置Ｄ１、Ｄ２及びＤ３が移動中もしくは撮影不可の状態を状態表示部５０に報知する。放射線検出装置Ｄ１、Ｄ２及びＤ３の移動が終了した後、被検者９０は撮影台Ｓの撮影位置に配置される。そして、被検者９０と放射線検出装置Ｄ１、Ｄ２及びＤ３の位置を操作者が確認する。
【００８５】
放射線検出装置Ｄ１、Ｄ２及びＤ３の位置の調整が必要な場合は、操作者が行う。操作者は、放射線検出装置Ｄ１、Ｄ２及びＤ３の位置の調整は保持部２０に付属したハンドル２６を使用する。その後、撮影を行って所望の画像を取得する。
【００８６】
図８には、放射線検出装置Ｄ１、Ｄ２及びＤ３の位置の調整は保持部２０に付属したハンドル２６の形態を示している。放射線検出装置Ｄ１、Ｄ２及びＤ３の保持部２０の保持部材２２には、操作者が把持するためのハンドル２６が設置されている。具体的には、保持部材２２の側面から突出するようにハンドル２６が設置されている。操作者がハンドル２６を把持することにより、保持部２０（放射線検出装置Ｄ２）を上下させることができる。
【００８７】
撮影された放射線画像及び放射線検出装置Ｄ１、Ｄ２及びＤ３の位置情報は、ネットワーク等の通信部１０６により放射線撮影制御部１１２に送られる。放射線撮影制御部１１２において画像処理が行われ、放射線検出装置Ｄ１、Ｄ２及びＤ３で取得された放射線画像がつなぎ合わされる。つまり、放射線撮影制御部１１２は、複数の放射線画像を合成して合成画像（長尺画像）を生成する。
【００８８】
つなぎ合わされた合成画像（長尺画像）にずれが残っていると判断された場合は、放射線撮影制御部１１２は当該ずれの修正を行う。なお、放射線画像及び放射線検出装置Ｄ１、Ｄ２及びＤ３の位置情報は、無線通信部１１７を介してネットワーク等の通信部１０６に送られることがあってもよい。
【００８９】
放射線検出装置Ｄ１、Ｄ２及びＤ３は上下方向及び水平方向にも相対位置が変化する。また、放射線検出装置Ｄ１、Ｄ２及びＤ３を撮影台Ｓに組み込む際の微妙な傾きなどが生じる恐れもある。そのため、合成画像（長尺画像）におけるずれは重力方向及び、重力方向に対して垂直な方向、もしくは回転方向である。また前後にも相対位置が変化するため、取得した放射線画像の拡大率も変化するというずれも生じる恐れがある。放射線撮影制御部１１２は、放射線検出装置Ｄ１、Ｄ２及びＤ３の相対位置に基づいて合成画像（長尺画像）におけるずれの修正を行う。
【００９０】
図７は、被検者９０の下半身を関心領域とした撮影する形態である。下半身が撮影領域である場合、撮影台Ｓにセットされている放射線検出装置Ｄ１、Ｄ２及びＤ３の基本姿勢は図７（ａ）（ｂ）の形態である。放射線検出装置Ｄ１、及び、放射線検出装置Ｄ３は、放射線検出装置Ｄ２よりも放射線源１０８側、すなわち、放射線照射側に配置されている。また、放射線検出装置Ｄ１、及び、放射線検出装置Ｄ３は、その一部が放射線源１０８側から見て放射線検出装置Ｄ２の一部で空間的に重なるように配置されている。
【００９１】
ここで、被検者９０の関心領域の上限位置５２ａが最も観察したい場合、図７（ａ）（ｂ）に示す形態では、関心領域の上限位置５２ａに放射線検出装置Ｄ２と放射線検出装置Ｄ３のつなぎ目が配置されてしまう。
【００９２】
そこで、操作者は、放射線検出装置Ｄ１、Ｄ２を下方に移動させる。放射線検出装置Ｄ１、Ｄ２を下方に移動させると、図７（ｃ）の形態になる。よって、放射線検出装置Ｄ３が最も低い位置にあっても放射線検出装置Ｄ２と放射線検出装置Ｄ３のつなぎ目の位置を変更することできる。
【００９３】
以上より、関心領域における撮影有効領域の重なりを回避でき、診断しやすい画像が取得可能となる。
【実施例２】
【００９４】
図９、１０は、実施例２における撮影台の内部機構を示している。実施例２は、実施例１の変形例である。
【００９５】
図９では、複数の支持部６０ａ、６０ｂ及び６０ｃは、それぞれ、複数の放射線検出装置Ｄ１、Ｄ２及びＤ３の側面（上側又は下側）を支持する。
【００９６】
具体的には、放射線検出装置Ｄ１は、支持部６０ａに支持される。本実施形態では、支持部６０ａは２つの部材から構成されている。支持部６０ａは、放射線検出装置Ｄ１の上側を支持する部材である。スリット６１ａに沿って、撮影台Ｓの長手方向（上下方向）に支持部６０ａは移動することができる。
【００９７】
放射線検出装置Ｄ２は、支持部６０ｂに支持される。本実施形態では、支持部６０ｂは２つの部材から構成されている。支持部６０ｂは、放射線検出装置Ｄ２の下側を支持する部材である。スリット６１ｂに沿って、撮影台Ｓの長手方向（上下方向）に支持部６０ｂは移動することができる。
【００９８】
放射線検出装置Ｄ３は、支持部６０ｃに支持される。本実施形態では、支持部６０ｃは２つの部材から構成されている。支持部６０ｃは、放射線検出装置Ｄ３の下側を支持する部材である。スリット６１ｃに沿って、撮影台Ｓの長手方向（上下方向）に支持部６０ｃは移動することができる。
【００９９】
つまり、複数の支持部６０ａ及び６０ｃによって、撮影台Ｓの上側に設置された放射線検出装置Ｄ１は上側が支持され、撮影台Ｓの下側に設置された放射線検出装置Ｄ３は下側が支持されている。複数の支持部６０ａ及び６０ｃは、撮影台Ｓの端部側にそれぞれ設置されているため、複数の支持部６０ａ、６０ｂ及び６０ｃの移動のストロークを保つことができる。
【０１００】
移動部は、複数の放射線検出装置Ｄ１、Ｄ２及びＤ３を独立して移動させることができる。例えば、図９（ａ）に示す形態から支持部６０ｂを上方向に移動させ、図９（ｂ）に示す形態に変更することができる。図９（ｂ）に示すように、移動部は、放射線検出装置Ｄ１よりも放射線検出装置Ｄ２を上側に設置することもできる。被検者９０の頭部を含む上半身を撮影することができる。
【０１０１】
図１０は、複数の放射線検出装置Ｄ１、Ｄ２及びＤ３の内、いずれか１つを移動させてもよい。ここでは、放射線検出装置Ｄ２のみを移動させる形態を示している。
【０１０２】
放射線検出装置Ｄ１は、支持部６０ａに支持される。支持部６０ａは、撮影台Ｓに固設されているため、移動することができない。放射線検出装置Ｄ３は、支持部６０ｃに支持される。支持部６０ｃは、撮影台Ｓに固設されているため、移動することができない。
【０１０３】
放射線検出装置Ｄ２は、支持部６０ｂに支持される。スリット６１ｂに沿って、撮影台Ｓの長手方向（上下方向）に支持部６０ｂは移動することができる。よって、撮影台Ｓの長手方向（上下方向）に放射線検出装置Ｄ２を独立して移動させることができる。
【０１０４】
図１０（ａ）に示す形態では、放射線検出装置Ｄ１及び放射線検出装置Ｄ３は、放射線検出装置Ｄ２よりも放射線源１０８側、すなわち、放射線照射側に配置されている。複数の支持部６０ａ及び６０ｃによって、撮影台Ｓの上側に設置された放射線検出装置Ｄ１は上側が支持され、撮影台Ｓの下側に設置された放射線検出装置Ｄ３は下側が支持されている。よって、支持部６０ｂの移動のストロークを保つことができる。
【０１０５】
図１０（ｂ）に示す形態では、放射線検出装置Ｄ２は、放射線検出装置Ｄ１及び放射線検出装置Ｄ３よりも放射線源１０８側、すなわち、放射線照射側に配置されている。よって、支持部６０ｂを撮影台Ｓの長手方向（上下方向）に任意に移動させても、複数の支持部６０ａ、６０ｂ及び６０ｃが互いに干渉しない。
【符号の説明】
【０１０６】
１０１  放射線撮影システム
１０２  ＲＩＳ端末
１０３  ＰＡＣＳ端末
１０４  ビューワー端末
１０５  プリンタ
１０７  放射線撮影ユニット
１０８  放射線源
１１１  放射線発生制御部
１１２  放射線撮影制御部
１１３  表示部
１１４  操作部
１１５  撮影部
Ｄ１  放射線検出装置（第一の放射線検出装置）
Ｄ２  放射線検出装置（第二の放射線検出装置）
Ｄ３  放射線検出装置（第三の放射線検出装置）
Ｓ  撮影台
【図１】
2016189985.tif 000003
【図２】
2016189985.tif 000004
【図３】
2016189985.tif 000005
【図４】
2016189985.tif 000006
【図５】
2016189985.tif 000007
【図６】
2016189985.tif 000008
【図７】
2016189985.tif 000009
【図８】
2016189985.tif 000010
【図９】
2016189985.tif 000011
【図１０】
2016189985.tif 000012